(57)【要約】【目的】  ストロボ装置から発生した火花が燃料電池から漏洩した可燃性ガスに引火することを防止する。【構成】  デジタルカメラ１０では、燃料電池１６から漏洩した可燃性ガスがガス検出センサ３１によって検出されるとストロボ装置３２のスイッチ回路が自動的にオフになり、ストロボ光を発光できなくなる。これによって、燃料電池から漏洩した可燃性ガスが燃焼することを防止できる。【選択図】  図１
2005062532.tif 000002
【特許請求の範囲】
【請求項１】
燃料電池を電源とし、被写体に向けて補助光を発光する補助光発光手段を備えるカメラであって、
前記燃料電池から漏洩した可燃性ガスを検出するガス検出手段と、
前記ガス検出手段から検出信号を受信すると、前記補助光発光手段の作動を禁止する第１制御手段と、
を有することを特徴とするカメラ。
【請求項２】
前記補助光発光手段の作動が禁止されたことをユーザーに認知させる第１警告手段を備え、
前記第１制御手段は、前記補助光発光手段の作動を禁止すると前記第１警告手段を作動させることを特徴とする請求項１に記載のカメラ。
【請求項３】
燃料電池を電源とし、被写体へ向けて補助光を発光する補助光発光手段を備えるカメラであって、
前記燃料電池から漏洩した可燃性ガスを検出するガス検出手段と、
前記補助光発光手段の作動を禁止させる禁止手段と、
前記禁止手段の操作指示をユーザーに出す第２警告手段と、
前記ガス検出手段から検出信号を受信すると前記第２警告手段を作動させる第２制御手段と、
を有することを特徴とするカメラ。
【請求項４】
前記ガス検出手段は前記補助光発光手段に隣接されていることを特徴とする請求項１乃至３の何れかに記載のカメラ。
【請求項５】
燃料電池を電源とするカメラであって、
前記燃料電池から漏洩した可燃性ガスを検出するガス検出手段と、
前記ガス検出手段によって前記可燃性ガスが検出されたことをユーザーに認知させる第３警告手段と、
前記ガス検出から検出信号を受信すると前記第３警告手段を作動させる第３制御手段と、
を有することを特徴とするカメラ。
【発明の詳細な説明】
【技術分野】
【０００１】
本発明は、燃料電池を電源とするカメラに関する。
【背景技術】
【０００２】
従来から燃料電池を電源とする機器が考案されている（例えば、特許文献１、又は２参照）。燃料電池では、水素と酸素が結合する際の化学エネルギーを電気エネルギーに変換する電気化学反応が利用されている。このため、燃料電池を発電させている間は、水素ガス等の可燃性ガスが燃料電池から漏洩して機器の内部に充満するという恐れがある。
【０００３】
ところで、補助光発光手段としてのストロボ装置を内蔵するカメラでは、ストロボ撮影を行う際に、シャッタの動作に連動してオン、オフするトリガスイッチの接片にトリガコンデンサから高電圧電流が流れ、この接片部分に火花が発生することがある。このため、ストロボ装置を内蔵するカメラの電源を燃料電池とした場合、カメラ内部に充満した可燃性ガスに火花が印加し、可燃性ガスが燃焼するという可能性がある。
【０００４】
特許文献３では、ストロボ装置を内蔵するカメラにおいて、トリガスイッチの接片部分に火花が発生することを防止することを目的とした構成が開示されている。しかし、カメラやカメラ付携帯電話等を落下させてトリガスイッチの接片部分が発光部から外れた状態でストロボ装置を発光させた場合、又はカメラやカメラ付携帯電話等を水の中に落としてストロボ装置の高電圧である回路基板を塗らした状態でストロボ装置を発光させた場合等、火花が発生する要因は存在する。このため、燃料電池から漏洩した可燃性ガスを燃焼させてしまう恐れがなくなったわけではない。
【特許文献１】特開２００３−３６８７９号公報
【特許文献２】特開平９−２１３３５９号公報
【特許文献３】特開２０００−２６７１６０号公報
【発明の開示】
【発明が解決しようとする課題】
【０００５】
本発明は上記事実を考慮してなされたものであり、燃料電池を電源とし、補助光発光手段を備えるカメラにおいて、補助光を発光する際に発生する火花が燃料電池から漏洩した水素ガス等の可燃性ガスに引火することを防止することを目的とする。
【課題を解決するための手段】
【０００６】
請求項１に記載のカメラは、燃料電池を電源とし、被写体に向けて補助光を発光する補助光発光手段を備えるカメラであって、前記燃料電池から漏洩した可燃性ガスを検出するガス検出手段と、前記ガス検出手段から検出信号を受信すると、前記補助光発光手段の作動を禁止する第１制御手段と、を有することを特徴とする。
【０００７】
請求項１に記載のカメラでは、燃料電池から可燃性ガスが漏洩するとガス検出手段によって検出される。第１制御手段は、ガス検出手段から検出信号を受信すると、補助光発光手段の作動を禁止する。
【０００８】
ここで、補助光発光手段が備えられているカメラでは、補助光発光手段から補助光を発生させる際に補助光発光手段から火花が発生することがある。このため、カメラ筐体内に可燃性ガスが充満していると、補助光発光手段から発生した火花がこの可燃性ガスに引火し、可燃性ガスが燃焼する恐れがある。
【０００９】
しかし、本発明では、可燃性ガスがカメラ筐体内に充満している間は、補助光発光手段から火花が発生することがないので、可燃性ガスが燃焼することがない。
【００１０】
請求項２に記載のカメラは、請求項１に記載のカメラであって、前記補助光発光手段の作動が禁止されたことをユーザーに認知させる第１警告手段を備え、前記第１制御手段は、前記補助光発光手段の作動を禁止すると前記第１警告手段を作動させることを特徴とする。
【００１１】
請求項２に記載のカメラでは、第１制御手段は、補助光発光手段の作動を禁止すると、第１警告手段を作動させ、補助光発光手段の作動が禁止されたことをユーザーに認知させる。
【００１２】
これによって、ユーザーは、撮影を止めるか、このまま補助光を発光させずに撮影を行うかを選択できる。
【００１３】
請求項３に記載のカメラは、燃料電池を電源とし、被写体へ向けて補助光を発光する補助光発光手段を備えるカメラであって、前記燃料電池から漏洩した可燃性ガスを検出するガス検出手段と、前記補助光発光手段の作動を禁止させる禁止手段と、前記禁止手段の操作指示をユーザーに出す第２警告手段と、前記ガス検出手段から検出信号を受信すると前記第２警告手段を作動させる第２制御手段と、を有することを特徴とする。
【００１４】
請求項３に記載のカメラでは、燃料電池から可燃性ガスが漏洩するとガス検出手段によって検出される。第２制御手段は、ガス検出手段から検出信号を受信すると、第２警告手段を作動させて禁止手段の操作指示をユーザーに出し、補助光発光手段の作動を禁止することを警告する。
【００１５】
これによって、可燃性ガスがカメラ筐体内に充満している間は、補助光発光手段から補助光を発光させないことが可能となり、可燃性ガスが補助光発光手段から発生した火花によって燃焼されることを防止できる。
【００１６】
請求項４に記載のカメラは、請求項１乃至３の何れかに記載のカメラであって、前記ガス検出手段は前記補助光発光手段に隣接されていることを特徴とする。
【００１７】
請求項４に記載のカメラでは、ガス検出手段が補助光発光手段に隣接されている。このため、カメラ筐体内での可燃性ガスの濃度分布にバラツキがあったとしても、少なくとも補助光発光手段の周囲に存在し、燃焼する恐れがある可燃性ガスだけは検出できる。
【００１８】
請求項５に記載のカメラは、燃料電池を電源とするカメラであって、前記燃料電池から漏洩した可燃性ガスを検出するガス検出手段と、前記ガス検出手段によって前記可燃性ガスが検出されたことをユーザーに認知させる第３警告手段と、前記ガス検出から検出信号を受信すると前記第３警告手段を作動させる第３制御手段と、を有することを特徴とする。
【００１９】
請求項５に記載のカメラでは、燃料電池から可燃性ガスが漏洩するとガス検出手段によって検出される。第３制御手段は、ガス検出手段から検出信号を受信すると第３警告手段を作動させ、カメラ筐体内に充満している可燃性ガスがガス検出手段によって検出されたことをユーザーに認知させる。
【００２０】
これによって、ユーザーが、ストロボ装置からストロボ光を発光させる前に、カメラ筐体内から可燃性ガスを排気すること等が可能となり、可燃性ガスの燃焼を防止できる。
【００２１】
また、可燃性ガスは発熱作用があり、カメラ筐体内に滞留しているとレンズや電気回路等が高温になって劣化する恐れがあるが、これも可燃性ガスをカメラ筐体内から排気することによって防止できる。
【発明の効果】
【００２２】
本発明は上記構成にしたので、燃料電池を電源とし、補助光発光手段を備えるカメラにおいて、補助光発光手段で発生する火花が燃料電池から漏洩してカメラ筐体内に充満した可燃性ガスに引火することを防止できる。
【発明を実施するための最良の形態】
【００２３】
以下に図面を参照しながら第１実施形態について説明する。
【００２４】
図１に示すように、デジタルカメラ１０には、メタノール水溶液（ＣＨ3ＯＨ＋Ｈ2Ｏ）が充填された燃料タンク１２が、デジタルカメラ１０に設けられた収納部１４へ上方から装填される。収納部１４の底部には、メタノール水溶液と酸素（Ｏ2）の化学反応によって発電を起し、副生成物として水（Ｈ2Ｏ）、及び二酸化炭素（ＣＯ2）を生成するメタノール直接型燃料電池（以下、燃料電池）１６が備えられている。
【００２５】
燃料タンク１２は、燃料を貯留する燃料貯留部１２Ａと、燃料電池１２で生成される水を回収する水回収部１２Ｂとの２槽構造となっている。燃料タンク１２と燃料電池１６は燃料供給口１８を給液口２０へ、水回収口２２を排水口２４へ勘合させることで、水密状態で接続される。図示は省略したが、燃料供給口１８、水回収口２２には、安全弁が設けられており、この安全弁は、燃料供給口１８と給液口２０、水回収口２２と排水口２４とが接続されると開かれる。
【００２６】
また、水は、燃料電池１６の空気極１３０Ｂで生成され、排水口２４、水回収口２２を介して水回収部１２Ｂへ回収される。
【００２７】
また、デジタルカメラ１０には、燃料電池１６に面してヒータ２３が設けられている。このヒータ２３は、デジタルカメラ１０を低温環境で使用する際に起動される。ここで、燃料電池１６は、氷点下等の低温環境では通常、化学反応を起すことができないが、ヒータ２３によって加熱されることで化学反応を起こし発電できる。
【００２８】
図２には、本実施形態のデジタルカメラ１０の回路構成を示すブロック図が示されている。
【００２９】
デジタルカメラ１０には、撮影レンズ２６、シャッタ２８、絞り２９及びＣＣＤ撮像素子３０が備えられている。撮影レンズ２６、シャッタ２８、及び絞り２９を経由してＣＣＤ撮像素子３０上に結像された被写体像は、ＣＣＤ撮像素子３０によってアナログ画像信号に変換される。ここで、シャッタ２８によって、ＣＣＤ撮像素子３０からアナログ画像信号が読み出される際のスミアの発生が抑制される。
【００３０】
また、デジタルカメラ１０には、補助光発光手段としてのストロボ装置３２が内蔵されている。このストロボ装置３２は、低照度時、又は低照度時以外の必要時に閃光を発光し、被写体に補助光を照射する。
【００３１】
また、デジタルカメラ１０には、アナログ信号処理部３４、Ａ／Ｄ変換部３６、デジタル信号処理部３８、テンポラリメモリ４０、圧縮伸長部４２、内蔵メモリ（又はメモリカード）４４、画像モニタ４６、及び駆動回路４８が備えられている。
【００３２】
ＣＣＤ撮像素子３０は、駆動回路４８内のタイミング発生回路（図示省略）によって発生されたタイミングで駆動され、アナログ画像信号を出力する。また、駆動回路４８には、撮影レンズ２６のＡＦ駆動を制御するＡＦ制御回路、撮影レンズ２６のズーム駆動を制御するズーム制御回路、シャッタ２８の駆動を制御するシャッタ制御回路、絞り２９の駆動を制御する絞り制御回路等が含まれる。
【００３３】
ＣＣＤ撮像素子３０から出力されたアナログ画像信号は、アナログ信号処理部３４でアナログ信号処理され、Ａ／Ｄ変換部３６でＡ／Ｄ変換され、そして、デジタル信号処理部３８でデジタル信号処理される。デジタル信号処理されたデジタル画像データは、テンポラリメモリ４０に一時的に格納される。
【００３４】
テンポラリメモリ４０に格納されたデジタル画像データは、圧縮伸長部４２で圧縮されて内蔵メモリ（又はメモリカード）４４に記録される。尚、撮影モードによっては、圧縮の過程を省いて内蔵メモリ４４に直接記録しても良い。そして、テンポラリメモリ４０に格納されたデジタル画像データは画像モニタ４６に読み出され、画像モニタ４６に被写体像が映し出される。
【００３５】
また、デジタルカメラ１０には、デジタルカメラ１０全体の制御を司るＣＰＵ５０（第１制御手段、第２制御手段）、ズーム操作スイッチ等を含む操作スイッチ群５２、及びシャッタボタン５４が備えられている。操作スイッチ群５２を操作して所望の撮影状態に設定し、シャッタボタン５４を押下することによって、写真撮影が行われる。
【００３６】
また、デジタルカメラ１０には、２次電池５１、コンバータ５３、及び燃料電池１６が備えられており、デジタルカメラ１０を構成する各部は、燃料電池１６で発電される電気エネルギーで、又は燃料電池１６で発電されて２次電池５１にバッファされた電気エネルギーで作動される。
【００３７】
図３に示すように、デジタルカメラ１０の背面には、ファインダ５６、ファインダＬＥＤ５８、撮影／再生モード選択スイッチ６０、充電モード選択スイッチ６１、撮影モード選択ダイヤル６２、マルチファンクションの十字キー６４、カメラの動作モードや十字キー６４の機能等を文字やアイコンで表示するドットマトリクスの液晶表示機６６、バックスイッチ６８、メニュー／ＯＫスイッチ７０、画像モニタ４６、及びスピーカ７２等が設けられている。スピーカ７２からは、各種警告音が鳴らされるが、この点については後述する。
【００３８】
また、デジタルカメラ１０の上面には、電源スイッチ７４及びシャッターボタン５４が設けられ、デジタルカメラ１０の側面には、音声／映像（Ａ／Ｖ）出力端子７６、デジタル（ＵＳＢ）端子７８、及びＤＣ入力端子８０が設けられている。
【００３９】
デジタルカメラ１０は、撮影／再生モード選択スイッチ６０によって撮影モード、又は再生モードが選択できるようになっており、撮影モード時には撮影モード選択ダイヤル６２によってマニュアル撮影、オート撮影、動画、ボイスレコーダー、ストロボ撮影等の各モードが選択できるようになっている。尚、ボイスレコーダは、音声のみを記録するモードである。
【００４０】
また、デジタルカメラ１０は、充電モード選択スイッチ６１によって充電モードが選択できるようになっており、充電モード時には燃料電池１６によって発電が行われ、２次電池５１が充電される。
【００４１】
画像モニタ４６は、電子ビューファインダとして使用できると共に、内蔵メモリ（又はメモリカード）４４から読み出した再生画像等を表示することができる。また、画像モニタ４６は、撮影可能コマ数や再生コマ番号の表示、ストロボ発光の有無、マクロモード表示、記録画質（クオリティー）表示、画素数表示等の情報も表示され、各種のメニュー等がメニュー／ＯＫボタン７０や十字キー６４の操作に応じて表示される。更に各種警告表示も表示されるが、この点については後述する。
【００４２】
次に、燃料タンク１２の構造について説明する。
【００４３】
図４に示すように、燃料タンク１２のケーシング２５は仕切り板２５Ａによって仕切られて燃料貯留部１２Ａと水回収部１２Ｂとの２槽構造となっている。燃料貯留部１２Ａと水回収部１２Ｂはキャップ２７によって封止されている。キャップ２７には、燃料貯留部１２Ａに面して燃料供給口１８が設けられ、水回収部１２Ｂに面して水回収口２２が設けられている。
【００４４】
水回収部１２Ｂには水を回収する袋体８６が収納され、口部を水回収口２２に取り付けられている。燃料貯留部１２Ａには燃料を貯留する袋体８８が収納され、口部を燃料供給口１８に取り付けられている。袋体８８はテフロン（登録商標）ゴム等の耐アルコール性材料とされている。
【００４５】
次に燃料電池１６について説明する。
【００４６】
図４に示すように、燃料電池１６のケーシング１２８は、電池セル１３０によって燃料室１６Ａと空気室１６Ｂに室が分けられている。燃料室１６Ａと空気室１６Ｂは、燃料タンク１２が載置される台座１３２によって封止されている。
【００４７】
台座１３２には、燃料室１６Ａに面して給液口２０が設けられ、空気室１６Ｂに面して排水口２４が設けられ、袋体８８から燃料室１６Ａへ燃料を供給でき、空気室１６Ｂから袋対８６へ水を回収できるようになっている。
【００４８】
電池セル１３０は、燃料室１６Ａの壁面を構成する燃料極１３０Ａ、空気室１６Ｂの壁面を構成する空気極１３０Ｂ、及び燃料極１３０Ａと空気極１３０Ｂに挟まれるプロトン導電膜１３０Ｃとで構成されている。
【００４９】
燃料タンク１２から燃料室１６Ａへメタノールが供給され、燃料極１３０Ａに電圧が印加されると、メタノールが化学反応式（１）に示すように、二酸化炭素、水素イオン、及び電子に分解される。
【００５０】
ＣＨ3ＯＨ＋Ｈ2Ｏ→ＣＯ2＋６Ｈ+＋ｅ-  …（１）
二酸化炭素は、燃料室１６Ａの壁面に設けられた気液分離フィルタ１３４によって燃料室１６Ａから放出され、水素イオンは、プロトン導電膜１３０Ｃを透過して空気極１３０Ｂへ移動する。そして、電子は、カメラの各部が駆動されている時は、カメラの各部へ向い、カメラの各部が駆動されていない時は、２次電池５１（図２参照）へ向かい、２次電池５１を充電させる。
【００５１】
空気極１３０Ｂへ移動した水素イオンＨ+は、空気室１６Ｂの壁面に設けられた気液分離フィルタ１３６を透過して空気室１６Ｂへ流入した酸素、及び電子と結合して水となる。この水は、排水口２４、及び水回収口２２を通過して袋体８６に回収される。
【００５２】
次に、燃料タンク１２を着脱させる機構について説明する。
【００５３】
図４に示すように、燃料タンク１２を収納部１４へ出し入れするためのスライド式の蓋１２０が設けられている。蓋１２０の内面にはコ字状のフック１２２が設けられている。そして、このフック１２２にアームチュア１２４Ａを係止させるフラッパーソレノイド１２４が、デジタルカメラ１０の上面の内側に取り付けられている。
【００５４】
このフラッパーソレノイド１２４が励磁されると、アームチュア１２４Ａがコイル１２４Ｂ側に移動し、アームチュア１２４Ａの引掛け部１２４Ｃがフック１２２に係止する。これによって、蓋１２０がロックされ、開閉できなくなる。
【００５５】
また、燃料タンク１２のケーシング２５の水回収部１２Ｂ側の側面にはラック２５Ｆが形成されている。このラック２５Ｆにモータギア１２６Ａを噛合させるモータ１２６が、収納部１４に設けられている。
【００５６】
燃料タンク１２を収納部１４から取り出したい時に、取出しスイッチ１３８（図３参照）が操作されると、フラッパーソレノイド１２４の励磁が停止され、蓋１２０のロックが解除される。
【００５７】
そして、蓋１２０が開かれると図示しない開閉検出スイッチがオンになり、モータ１２６が駆動される。これによって、燃料タンク１２が収納部１４から頭を出し、燃料タンク１２を掴んで収納部１４から取り出すことができる。
【００５８】
次に、ストロボ装置３２について説明する。
【００５９】
図５に示すように、ストロボ装置３２は、メインコンデンサ８２、シンクロスイッチ（トリガスイッチ）８４、電源接片９０等が取り付けられた回路基板９２と、内部にストロボ放電管（図示省略）を有する発光ユニット９４等から構成されている。
【００６０】
シンクロスイッチ８４は、シャッタ機構（図示省略）が動作すると連動してオンになり、メインコンデンサ８２を放電させる。これにより、ストロボ放電管から被写体へ向けてストロボ光が照射され、被写体を明るく照明する。
【００６１】
この際、メインコンデンサ８２からシンクロスイッチ８４の接片には高電圧電流が流れるので、シンクロスイッチ８４の接片に火花が発生することがある。また、燃料電池１６を発電させている場合、燃料電池１６から水素ガス等の可燃性ガスが放出されることがある。このため、シンクロスイッチ８４の接点で発生した火花が燃料電池１６から漏洩した可燃性ガスに引火し、可燃性ガスが燃料してしまう恐れがある。
【００６２】
そこで、ガス検出センサ３１をストロボ装置３１に隣接して配置してストロボ装置３１の周囲の可燃性ガスを検出する。そして、ガス検出センサ３１によって可燃性ガスが検出されると、ストロボ装置３１を作動できないようにする。
【００６３】
図５に示すように、ガス検出センサ３１は、可燃性ガス検知素子３１Ａを備え、回路基板３３に載置されている。可燃性ガス検知素子３１Ａは、白金等の貴金属線コイルを、アルミナ担体、酸化スズ半導体、酸化亜鉛または酸化インジウム半導体を主成分とする半導体から形成される感応層で覆い、さらに感応層の表面に触媒を被着したものである。
【００６４】
そして、ガス検出センサ３１は、可燃性ガス検知素子３１Ａの表面に形成された触媒に、可燃性ガスが接触して燃焼することにより内部の貴金属線コイルが温度上昇し、この温度上昇による貴金属線コイル両端の抵抗値変化を測定するものである。
【００６５】
可燃性ガスの濃度に応じて、可燃性ガス検知素子３１Ａでの燃焼温度が上昇することで、ガス検出センサ３１は可燃性ガスの濃度、即ち燃料電池１６からの漏洩の程度に応じた測定結果を出力する。
【００６６】
ここで、ガス検出センサ３１を、ストロボ装置３２に隣接して配置したことによって、カメラ筐体内での可燃性ガスの濃度分布にバラツキがあったとしても、少なくともストロボ装置３１の周囲に存在し、燃焼する恐れがある可燃性ガスだけは検出できる。
【００６７】
以下、燃料電池１６から漏洩した可燃性ガスにストロボ装置３２で発生した火花が引火することを防止する方法について図６のフローチャートを参照して説明する。
【００６８】
図６のフローチャートに示すように、デジタルカメラ１０の電源が投入されると処理ルーチンが開始され、ステップ２００へ進む。
【００６９】
ステップ２００では、燃料電池１６による発電が開始され、ＷＡＩＴ状態になり、ステップ２０１へ進む。ステップ２０１では、撮影／再生モード選択スイッチ６０によって撮影モードが選択されるまで否定判定が繰り返され、肯定されるとステップ２０２へ進む。
【００７０】
ステップ２０２では、撮影モード選択ダイヤル６２によってストロボモードが選択されているか否かが判定され、肯定されるとステップ２０３へ進む。ステップ２０３では、可燃性ガスが検出されたか否かが判定され、肯定されるとステップ２０４へ進む。
【００７１】
ステップ２０４では、ストロボ装置３２のスイッチ回路（図示省略）が自動的にオフになり、ストロボ装置３２が作動できないようになる。そして、ステップ２０５へ進み、撮影の際にストロボ装置３２からストロボ光が発光されないことが画像モニタ４６に表示され、処理ルーチンが終了する。これによって、ユーザーはストロボ光を発光させずにそのまま撮影を行うか、もしくは撮影を止めるかを選択できる。
【００７２】
また、ステップ２０３において否定されると、ステップ２０６へ進み、ストロボ撮影が可能であることが画像モニタ４６に表示され、処理ルーチンが終了する。
【００７３】
そして、ステップ２０２において否定されると、ステップ２０７へ進み、測距部５５（図２参照）によって被写体を測距できたか否かが判定される。ここでは被写体のコントラストのピーク値が得られたか否かで測距可能か否かが判定される。肯定されるとステップ２０６へ進み、画像モニタ４６に撮影が可能であることが画像モニタ４６に表示され、処理ルーチンが終了する。
【００７４】
そして、ステップ２０７において否定されると、ステップ２０８へ進み、自動的にストロボモードに切換えられる。そして、ステップ２０３へ進み、ステップ２０３〜２０６を経て処理ルーチンが終了する。
【００７５】
以上、本ルーチンによって、可燃性ガスが燃料電池１６から漏洩してストロボ装置３２の周囲に滞留している間は、ストロボ装置３２が作動されることがなく、ストロボ装置３２から火花が発生することがない。従って、可燃性ガスが燃焼することはない。
【００７６】
次に、燃料電池１６から漏洩した可燃性ガスにストロボ装置３２で発生した火花が引火することを防止する方法の変形例について図７、図８のフローチャートを参照して説明する。
【００７７】
デジタルカメラ１０の電源が投入されると処理ルーチンが開始され、ステップ３００へ進む。ステップ３００では、ＷＡＩＴ状態になり、ステップ３０１へ進み、撮影／再生モード選択スイッチ６０によって撮影モードが選択されるまで否定判定が繰り返され、肯定されるとステップ３０２へ進む。
【００７８】
ステップ３０２では、撮影モード選択ダイヤル６２によってストロボモードが選択されているか否かが判定され、肯定されるとステップ３０３へ進み、電源切換えスイッチ６３（図９参照）によって電源が燃料電池１６とされているか２次電池５１とされているかが判定される。２次電池５１と判定されるとステップ３０４へ進む。
【００７９】
ステップ３０４では、２次電池に蓄電された電力で、ストロボ装置３２を作動させての撮影が可能か否かが判定され、肯定されるとステップ３０５へ進み、画像モニタ４６に撮影が可能であることが表示され、処理ルーチンが終了する。
【００８０】
また、ステップ３０４で否定されると図８のステップ３０６へ進み、自動的に電源が２次電池５１に切換えられる。そして、ステップ３０７では、ガス検出センサ３１が作動され、可燃性ガスが検出されたか否かが判定される。否定されると図７のステップ３０５へ進み、同様に撮影可能であることが画像モニタ４６に表示され、処理ルーチンが終了し、肯定されるとステップ３０８へ進む。
【００８１】
ステップ３０８では、スピーカ７２から警告音を発して、ストロボ装置３１の周囲に可燃性ガスが存在することをユーザーに認知させる。また、デジタルカメラ１０では、ストロボの自動発光を停止するストロボ停止モードに設定できるようになっているので、画像モニタ４６に、ストロボ停止モードに設定することを警告する警告表示を表示する。
【００８２】
そして、ステップ３０９へ進み、撮影モード選択ダイヤル６２が操作されてストロボ停止モードに設定されたか否かが判定され、肯定されると図７のステップ３０５へ進み、撮影可能であることが画像モニタ４６に表示され、処理ルーチンが終了する。
【００８３】
また、ステップ３０９において否定されると、ステップ３１０へ進み、ストロボ装置３２のスイッチ回路（図示省略）が自動的にオフになり、ストロボ装置３２が作動できないようになる。そして、ステップ３１１へ進み、撮影の際にストロボ装置３２からストロボ光が発光されないことが画像モニタ４６に表示され、処理ルーチンが終了する。これによって、ユーザーはストロボ光を発光させずにそのまま撮影を行うか、もしくは撮影を止めるかを選択できる。
【００８４】
そして、図７のステップ３０３において電源が燃料電池１６と判定されるとステップ３１２へ進み、電源切換えスイッチ６３によって電源を２次電池５１に切換えることをユーザーに警告する表示が画像モニタ４６に表示されると共に、スピーカ７２から警告音が鳴らされる。
【００８５】
そして、ステップ３１３へ進み、電源切換えスイッチ６３が操作されて燃料電池１６による発電が停止され、電源が２次電池５１に切換えられたか否かが判定され、肯定されるとステップ３０４へ進み、上述したようにステップ３０４〜３１１を経て処理ルーチンが終了する。
【００８６】
また、ステップ３１３において否定されると図８のステップ３０７へ進み、ステップ３０７〜３１１、図８の３０５を経て処理ルーチンが終了する。
【００８７】
そして、ステップ３０２において否定されるとステップ３１４へ進み、測距部５５（図８参照）によって被写体を測距できたか否かが判定される。ここでは被写体のコントラストのピーク値が得られたか否かで測距可能か否かが判定される。肯定されるとステップ３０５へ進み、撮影が可能であることが画像モニタ４６に表示され、処理ルーチンが終了する。
【００８８】
また、ステップ３１４において否定されると、ステップ３１５へ進み、自動的にストロボモードに切換えられる。そして、ステップ３０３へ進み、上述したステップ３０３〜３１３のステップを経て、処理ルーチンが終了する。
【００８９】
なお、本実施形態では、第１警告手段、及び第２警告手段を、画像モニタ４６、スピーカ７２としたが、これらに限らず、臭いを発する装置等、他の手段も適用可能である。
【００９０】
また、本実施形態では、可燃性ガスをガス検出センサ３１が検出するとストロボ装置３１の作動を禁止し、又は画像モニタ４６、スピーカ７２から警告を出した。しかし、可燃性ガスの濃度によっては火花が引火することがなく、可燃性ガスの濃度で許容できる濃度があれば、この許容できる濃度を超えるか否かを判定して、ストロボ装置３１の作動を禁止するか否か、画像モニタ４６、スピーカ７２から警告を出すか否かを決定しても良い。
【００９１】
次に、第２実施形態について説明する。なお、第１実施形態と同一の構成には同一の符号を付し、説明は省略する。
【００９２】
図１０、図１１、図１２に示すように、デジタルカメラ付携帯電話１００は、画像モニタ１０１等を備える第１筐体１０２と、キーボード１０３等をを備える第２筐体１０４とがヒンジ１０５によって連結されて構成されている。第１筐体１０２は、ヒンジ１０５によって第２筐体１０４のキーボード１０３が設けられたキーボード面１０４Ａに沿って回転可能とされている。
【００９３】
閉じられた際にキーボード面１０４Ａに対面する第１筐体１０２の第１面１０２Ａには、サブ画像モニタ１０６、第１撮影レンズ１０７、第１ストロボ装置１０８が設けられ、第１面１０２Ａの裏面である第２面１０２Ｂには、画像モニタ１０１、スピーカ１１５が設けられている。また、第１筐体１０２には、第１撮影レンズ１０７とＣＣＤ撮像素子（図示省略）を少なくとも備える撮像ユニット（図示省略）が内蔵されている。また、側面には第１シャッタボタン１１６が設けられている。
【００９４】
第２筐体１０４のキーボード面１０４Ａのキーボード１０３の下側には、蓋１０９が設けられている。この蓋１０９によって開閉される収納部１１１の底部には燃料電池１１０が設けられている。燃料電池１１０は、第１実施形態と同様に電池セル（図示省略）によって燃料室１１０Ａと空気室１１０Ｂの２槽構造とされている。そして、燃料電池１１０の上面には、燃料室１１０Ａに面して給液口１１３が設けられ、空気室１１０Ｂに面して排水口１１４が設けられている。
【００９５】
また、燃料貯留部１１２Ａと水回収部１１２Ｂの２槽構造の燃料タンク１１２が収納部１１１の上方から装填される。燃料タンク１１２には、給液口１１３に水密状態で接続される燃料供給口１１５が燃料貯留部１１２Ａに面して設けられ、排水口１１４に水密状態で接続される水回収口１１６が水回収部１１２Ｂに面して設けられている。
【００９６】
さらに、第２筐体１０４の側面には、第２シャッタボタン１１３が設けられ、キーボード面１０４Ａの裏面１０４Ｂには第２撮影レンズ１１８、第２ストロボ装置１１９、マイク１２０が設けられている。
【００９７】
デジタルカメラ付携帯電話１００は、図１２に示すように閉じた状態でも、第１筐体１０２の側面に設けられた第１シャッタボタン１１６を押して、第２撮影レンズ１１８、第２ストロボ装置１１９によって撮影ができるようになっている。また、デジタルカメラ付携帯電話１００は、閉じた状態でもマイク１２０によって通話ができるようになっている。
【００９８】
このデジタルカメラ付携帯電話１００には、第１実施形態と同様に、ストロボ装置３２に隣接してガス検出センサ３１が配置されており、第２ストロボ装置１１９の周囲に可燃性ガスが存在する間は、ＣＰＵ５０によって第２ストロボ装置１１９からストロボ光が発光されないようになっている。このため、燃料電池１１０から漏洩した可燃性ガスが燃焼しないようになっている。
【００９９】
また、キーボード１０３を操作して電源を燃料電池１１０から２次電池５１に切換えること、ストロボ停止モードに設定すること、及び第２ストロボ装置１１９からストロボ光が発光されないこと等の警告表示が画像モニタ１０１に表示され、警告音がスピーカ１１５から鳴らされる。
【０１００】
なお、第１、第２実施形態では、デジタルカメラ１０、デジタルカメラ付携帯電話１００を例に取って本発明のカメラを説明したが、これに限らず、アナログカメラやビデオカメラ等、ストロボ装置（補助光発光手段）を備える他のカメラに付いても適用可能である。
【０１０１】
また、メタノール直接型燃料電池について説明したが、固体高分子型燃料電池等、他の種類の燃料電池にも適用可能である。
【図面の簡単な説明】
【０１０２】
【図１】第１実施形態のデジタルカメラを示す斜視図である。
【図２】第１実施形態のデジタルカメラの回路構成を示すブロック図である
【図３】第１実施形態のデジタルカメラを示す斜視図である。
【図４】第１実施形態のデジタルカメラの燃料電池、及び燃料タンクを示す断面図である。
【図５】第１実施形態のデジタルカメラに内蔵されたストロボ装置を示す斜視図である。
【図６】第１実施形態のデジタルカメラの電源を切換える方法を示すフローチャートである。
【図７】第１実施形態のデジタルカメラの電源を切換える方法の変形例を示すフローチャートである。
【図８】第１実施形態のデジタルカメラの電源を切換える方法の変形例を示すフローチャートである。
【図９】第１実施形態のデジタルカメラの変形例を示す斜視図である。
【図１０】第２実施形態のデジタルカメラ付携帯電話を示す斜視図である。
【図１１】第２実施形態のデジタルカメラ付携帯電話を示す斜視図である。
【図１２】第２実施形態のデジタルカメラ付携帯電話を示す斜視図である。
【符号の説明】
【０１０３】
１０    デジタルカメラ（カメラ）
１６    燃料電池
３１    ガス検出センサ（ガス検出手段）
３２    ストロボ装置（補助光発光手段）
４６    画像モニタ（第１警告手段、第２警告手段、第３警告手段）
５０    ＣＰＵ（第１制御手段、第２制御手段、第３制御手段）
６２    撮影モード選択ダイヤル（禁止手段）
７２    スピーカ（第１警告手段）
１００  デジタルカメラ付携帯電話（カメラ）
１０１  画像モニタ（第１警告手段、第２警告手段、第３警告手段）
１０３  キーボード（禁止手段）
１０８  第１ストロボ装置（補助光発光手段）
１１５  スピーカ（第１警告手段、第２警告手段）
１１９  第２ストロボ装置（補助光発光手段）
１１０  燃料電池
１１５  スピーカ（第１警告手段、第２警告手段、第３警告手段）
【図１】
2005062532.tif 000003
【図２】
2005062532.tif 000004
【図３】
2005062532.tif 000005
【図４】
2005062532.tif 000006
【図５】
2005062532.tif 000007
【図６】
2005062532.tif 000008
【図７】
2005062532.tif 000009
【図８】
2005062532.tif 000010
【図９】
2005062532.tif 000011
【図１０】
2005062532.tif 000012
【図１１】
2005062532.tif 000013
【図１２】
2005062532.tif 000014